(57)【要約】【課題】封筒と中身となるデーター・シートの宛名などのデーターのミスマッチを防止し、かつよりコストダウン可能で資源節約型封筒付カット紙を得ること。【解決手段】（１）封筒とデーター・シートを一体化する。（２）プリンターによって処理し易い構造とする。（３）切り離されたデーター・シートを封筒に入れ易い構造とする。（４）用紙だけでなく接着剤も環境にやさしいものを利用する。【選択図】  図３，
2005350135.tif 000002
【特許請求の範囲】
【請求項１】
１枚の縦長の長方形の用紙を縦方向に複数区画に分割し、その最上区画を封筒のフラップ部分、その下の２区画を封筒部分、更にその下の区画をデーター・プリント部分とし、フラップ裏面には予め天然素材を利用した再湿接着剤を施し乾燥させておき、その下の２区画裏面の横方向の両端に天然素材を利用した空気抜けを考慮した間欠パターンの接着剤を施して縦方向に２つ折りして、両端を接着して封筒部分としたものを封筒付カット紙とし、これをプリンターによってその表面の封筒部分に宛名及びデーター・プリント部分にデーターをプリントし、次いで封筒部分とデーター・プリント部分とを切り離し、これを所定の方法によって折りたたみ、封筒内に容易に封入封緘可能とすることを特徴とする封筒付カット紙。
【発明の詳細な説明】
【技術分野】
【０００１】本発明は、主としてカット紙プリンターによってデーター・シートをプリントし、これを封筒に封入封緘して発送するダイレクトメール技術に関するものである。
【発明が解決しようとする課題】
【０００２】従来は、データー・シートと封筒は別々にデーター、宛名、住所等をプリントして前者を後者に封入するのが普通である。
この場合、データー・シートは容易にプリントされるが、封筒は、その形状・サイズが通常の用紙の規格サイズと異なるのでカット紙プリンターによって給紙・プリントし難い。
この欠点を避ける為、タック紙の宛名ラベルをプリントし、封筒宛名欄に貼付することが行なわれているが、これも手間がかかり、コストアップにつながる。また、データー・シートと宛名ラベルの宛名を一致させて封入されなければならないが、両者のミスマッチが起こる欠点がある。
このミスマッチを防ぐ為に、封筒上に宛名プリントしないで窓付き封筒を利用することもあるが、この封筒は一般的には、窓なしに比較し高価で、また窓の素材として透明プラスチックフィルムを利用されることが多く、このフィルムと宛名タックラベルは何れも紙と異なり容易にリサイクルできない欠点がある。このような従来技術の欠点を解決しようとするのが本発明の課題である。
【発明が解決しようとする手段】
【０００３】（１）封筒とデーター・シートを分離せず、封筒付カット紙として一体のものとする。
（２）データー・シートは折られて封筒に容易に入れられる様な寸法とする。
（３）用紙のリサイクルに支障となるフィルムやタックラベルを使用せず、接着剤は天然素材によるものを利用する。
【発明が解決しようとする形態】
【０００４】
【実施例１】  〔図１，図２，図３，図４，図５，図６〕
〔図１〕において１は長方形のもとの用紙で上下方向に５区画１−１（フラップ）、１−２、１−３（封筒部分）、１−４、１−５（データ・シート部分）に分割され、その境界線を２−１、２−２、２−３、２−４とする。
フラップ１−１の裏面に天然素材を材料とした再湿接着剤の乾燥パターン３を施し、１−２の裏面の両端に天然素材を材料として巾の狭いプリンターでの給紙の際の封筒内の空気抜けを可能とする間欠パターンの接着剤３−１、３−２を施して２−２を折り目と、して側面図〔図２〕のように折り１−２、１−３の両端を接着することによって〔図３〕のような封筒付カット紙４を造る。この場合４の寸法はプリンターに適応する規格寸法Ａ−４、Ｂ−４等とする。４の封筒以外の区画１−４、１−５はデーター・プリント部分として、封筒の宛名部分１−３と共に、プリンターで同時にプリント可能である。
その後境界線２−３で上下を切り離し、上部を封筒５として、下部をデーター・シートとし、これを上下方向の中心線２−５で折り中身シート６〔図５〕とし、封筒５に封入し、上部フラップ１−１で封緘すれば中身シート６入りメール７が完成される（〔図６〕）。但し、この場合中身シート６は、封筒５の両端の糊付部３−１、３−２を除いた内側部分に容易に入るような大きさとなるよう設計するものとする。
【実施例２】  〔図７，図８，図９〕
もとの用紙８に於いてデーター・プリント部分１−４、１−５の両端に切り取りミシン１０−１、１０−２を施し（〔図７〕）、データー・プリント後〔図８〕のように、９−１、９−２によって１−４、１−５の両端１０−１、１０−２を切り離して、もとの用紙８よりも巾の狭いデーター・プリント部１−４’、１−５’を設け〔図８〕、これらを境界線２−３で切り離した後、２−４で２つ折りし、封筒４に封入することによって、メール１１が得られる（〔図９〕）。
但し、この場合のデーター・プリント部１−４’、１−５’の横巾を封筒４の糊付部分３−１、３−２を除いた内側より小さくするものとする。
【発明の効果】
【０００５】１．  ダイレクトメールに於いて重要なデーター・シートと封筒の宛名のミスマッチが起ない。
２．  高価で環境に宜しくないフィルム窓付き封筒を必要としない。
３．  宛名プリントの手間及びコストがかかる宛名ラベルを省略できる。
４．  本発明による封筒付カット紙の寸法を用紙の規格寸法であるＡ−４、Ｂ−４等とすることによって、通常はオフィスに広く普及しているカット紙プリンターによって、簡単にプリント可能である。
５．  ダイレクトメール作製のコストダウンに役立つ。
６．  本発明によるダイレクトメールは、その使用済み後、用紙としてリサイクル可能なので環境保護に役立つ。
【図面の簡単な説明】
【０００６】
【図１】本発明による元の用紙の正面図。
【図２】本発明による元の用紙の２つ折り側面図。
【図３】本発明による封筒付カット紙の表側正面図
【図４】本発明による封筒とデーター・プリント部の表側正面図。
【図５】本発明によるデーター・プリント部の４つ折り正面図。
【図６】本発明によるデーター・プリント部を封入したメールの正面図。
【図７】本発明によるもとの用紙の正面図。
【図８】本発明による両端カットされたデーター・プリント部付用紙正面図。
【図９】本発明による両端カットされたデーター・プリント部を封入したメール。
【符号の説明】
【０００７】１                            ：本発明による元の用紙
１−１、１−２、１−３、１−４、１−５：分割された１の区画。
１−１                        ：封筒のフラップ
１−２、１−３                ：封筒部分
１−４、１−５                ：データー部分
１−４’、１−５’            ：両端を切り離されたデーター・プリント部分
２−１、２−２、２−３、２−４：各区画の境界線
３                            ：再湿接着剤の乾燥パターン
３−１、３−２                ：封筒部分両端の糊付け部
４                            ：封筒付カット紙
５                            ：封筒
６                            ：データー部分の折られた中身。
７                            ：データー部分が封入されたメール。
８                            ：本発明による元の用紙。
９−１、９−２                ：１−４，１−５区画両端に施されたミシン。
１０−１、１０−２            ：９−１、９−２により区切られた両端の区画。
１１                          ：データー部分が封入されたメール。
【図１】
2005350135.tif 000003
【図２】
2005350135.tif 000004
【図３】
2005350135.tif 000005
【図４】
2005350135.tif 000006
【図５】
2005350135.tif 000007
【図６】
2005350135.tif 000008
【図７】
2005350135.tif 000009
【図８】
2005350135.tif 000010
【図９】
2005350135.tif 000011